(57)【要約】      （修正有）【課題】薬用として優れた品種であるが、雄性不稔のため種子繁殖ができない大和シャクヤクを始めとするシャクヤクの効率的な育苗方法に関するものであり、シャクヤク、特に大和シャクヤクの効率的栽培に繋がる方法を提供する。【解決手段】大和シャクヤクの根茎を、４℃±２℃で４週間以上処理後、株分けした根茎生重量が１５ｇ以上および生長点が２以上になるように株分けし、４〜５ヶ月間、１５〜３０℃にてハウス栽培し苗を育成する育苗方法、さらに得られた苗を圃場に定植し栽培する大和シャクヤクの栽培方法。【選択図】図１
2011142903.tif 000002
【特許請求の範囲】
【請求項１】
シャクヤクの育苗方法であって、シャクヤクの根茎を低温処理して休眠打破する工程、根茎を株分けする工程、ハウス栽培して苗を育成する工程、からなることを特徴とするシャクヤクの育苗方法。
【請求項２】
前記シャクヤクがＰａｅｏｎｉａ  ｌａｃｔｉｆｌｏｒａ  Ｐａｌｌａｓである請求項１記載の育苗方法。
【請求項３】
前記シャクヤクが大和シャクヤク（Ｐａｅｏｎｉａ  ｌａｃｔｉｆｌｏｒａ  Ｐａｌｌａｓ  ｖａｒ．  ｔｒｉｃｈｏｃａｒｐａ  Ｂｕｎｇｅ）である請求項１または２記載の育苗方法。
【請求項４】
前記低温処理が２〜６℃で、４週間以上である請求項１〜３のいずれか１項に記載の育苗方法。
【請求項５】
前記根茎の株分けした根茎生重量が１５ｇ以上で、生長点が２つ以上である請求項１〜３のいずれか１項に記載の育苗方法。
【請求項６】
前記ハウス栽培工程が３０℃以下である請求項１〜３のいずれか１項に記載の育苗方法。  
【請求項７】
前記ハウス栽培が養液土耕栽培である請求項６記載の育苗方法。
【請求項８】
前記ハウス栽培が養液栽培の固形培地耕栽培を含むことを特徴とする請求項６記載の育苗方法。
【請求項９】
前記固形培地耕栽培に用いる固形培地がココヤシブロックであることを特徴とする請求項８記載の育苗方法。
【請求項１０】
大和シャクヤクの根茎を、４℃±２℃で４週間以上処理して休眠打破した後、株分けした根茎生重量が１５ｇ以上および生長点が２以上になるように株分けし、４〜５ヶ月間、１５〜３０℃にてハウス栽培し苗を育成することを特徴とする大和シャクヤクの育苗方法。
【発明の詳細な説明】
【技術分野】
【０００１】
本発明は、シャクヤクの効率的な育苗方法に関するものである。より詳細にはシャクヤクの根茎を休眠打破し、次いで根茎を分割し、ハウス栽培等促成栽培にて萌芽形成・成熟させることを特徴とするシャクヤクの効率的な育苗方法に関するものである。さらに得られた苗を圃場に定植し栽培することを特徴とするシャクヤクの効率的な栽培方法に関するものである。
【背景技術】
【０００２】
シャクヤクはその花が、美しいため、かつて中国では同属のボタンと同様に貴ばれ、「花相」と称されていた。日本には自生せず、奈良時代に薬として渡来したと言われている。シャクヤクには江戸時代から育成されてきた和芍系統、シベリア及び中国から欧米に渡り、１８世紀に作出された洋芍系統、ヨーロッパにもともと自生しているものを園芸的に改良したオランダ芍薬系統等があり、近年は雑種間によって得られたハイブリッド系統も増えている。薬用には和芍系統の品種が用いられ、ボタン同様、薬用を目的に栽培する場合、根の発育が良くなるように花の蕾は摘み取られる。日本薬局方記載の生薬としての芍薬は、シャクヤク（Ｐａｅｏｎｉａ  ｌａｃｔｉｆｌｏｒａ  Ｐａｌｌａｓ）の根であり、細根やコルク層を削り取った根を乾燥して調製され、換算した生薬の乾燥物に対してペオニフロリン２％以上含むことが規定されている（非特許文献１）。
【０００３】
大和シャクヤク（Ｐａｅｏｎｉａ  ｌａｃｔｉｆｌｏｒａ  Ｐａｌｌａｓ  ｖａｒ．  ｔｒｉｃｈｏｃａｒｐａ  Ｂｕｎｇｅ）は、古くから奈良県下で栽培、育成されてきたものであり、薬用に用いられる優良品種は、白花、青茎品とされ、一茎に三花を付け、花弁が５〜２０個の重弁のもので、雄蕊が狭長な花辧に変化しているため雄蕊が全く無く、即ち葯が形成されない雄性不稔である。このように大和シャクヤクは、種子や腋芽が形成されないことから、栽培は全て根茎の株分けでしか繁殖させることができず、大量増殖が難しく、ごく一部の篤農家によって栽培が続けられているという状況にある。そのためシャクヤク、特に大和シャクヤクの効率的な増殖・栽培法の開発が望まれていた。
【０００４】
一方、花を観賞する園芸用シャクヤクにおいて、品種改良などは種子による交配によって行われるが、繁殖は、株分け増殖が専ら行われており、根が太く生育のよい株の場合には、株分けで繁殖するほうが有利と言われている。
【０００５】
シャクヤクの一年の生育サイクルは、９月〜翌２月頃が休眠期、３月〜４月頃に萌芽形成され、５月〜８月頃が成熟期であり、生薬として根が使用できるのには、根茎を分割し苗を圃場に定植し露地栽培にて約４年を要すといわれている。このように１年の約半分が休眠期にあるシャクヤクにおいて、多くの毛根を持つ優れた苗を効率的に育成することは、生薬および園芸用シャクヤクの効率的な栽培方法につながるものであり、休眠打破の問題は、そのための解決すべき課題の１つであった。
【０００６】
一方、植物の休眠打破（覚醒）技術については、低温処理する方法や休眠打破剤を用いる方法（例えば特許文献１、２、３など）が数多く報告されているが、シャクヤク根茎の効果的な休眠打破条件についての報告はなく、また、効果的なシャクヤク根茎の株分けや株分け後の育苗方法についても報告がなされていなかった。
【先行技術文献】
【特許文献】
【０００７】
【特許文献１】特開２００５−１７６７２８号公報及び第２頁表１
【特許文献２】特開平７−１２６１０８号公報
【特許文献３】特開平１１−１５５３９５号公
【非特許文献】
【０００８】
【非特許文献１】第１５改正日本薬局方  ３５８９〜３５９１頁など
【発明の開示】
【発明が解決しようとする課題】
【０００９】
上記したように生薬原料として優れた品種である大和シャクヤクは、雄性不稔であり種子ができないため根茎の株分けにより増殖してきたし、園芸用シャクヤクの場合も、増殖は、専ら根茎の株分けにより行われているが、シャクヤクは休眠期間が長く、かつ効率的な根茎の株分けについても検討がなされて来なかった。本発明は、シャクヤクの生薬原料を採取した残りの廃棄用根茎を使い、休眠打破、根茎の株分け、続くハウス栽培（促成栽培）にて萌芽形成・成熟させることを特徴とするシャクヤクの育苗方法を提供することを目的とする。さらに得られた苗は、圃場に定植し栽培することからなる効率的なシャクヤク、特に生薬として高品質な大和シャクヤクの栽培方法を提供することが可能であり、また生薬だけでなくシャクヤクの園芸品種の苗の供給並びに鉢植えシャクヤク等を提供することを目的とする。
【課題を解決するための手段】
【００１０】
本発明者は上記目的を達成すべく鋭意検討した結果、シャクヤクの根茎の効率的な休眠打破条件、根茎の株分けにおいて続く萌芽形成及び発根率のための必要条件、続くハウス栽培における萌芽形成・成熟の好適条件を見出し、従来よりも遙かに効率的なシャクヤクの育苗方法を確立し、本発明を完成した。
【００１１】
即ち、本発明は以下の発明を包含する。
（１）シャクヤクの育苗方法であって、シャクヤクの根茎を低温処理して休眠打破する工程、根茎を株分けする工程、ハウス栽培して苗を育成する工程、からなることを特徴とするシャクヤクの育苗方法； 
（２）前記シャクヤクがＰａｅｏｎｉａ  ｌａｃｔｉｆｌｏｒａ  Ｐａｌｌａｓである（１）記載の育苗方法；
（３）前記シャクヤクが大和シャクヤク（Ｐａｅｏｎｉａ  ｌａｃｔｉｆｌｏｒａ  Ｐａｌｌａｓ  ｖａｒ．  ｔｒｉｃｈｏｃａｒｐａ  Ｂｕｎｇｅ）である（１）または（２）記載の育苗方法；
（４）前記低温処理が２〜６℃で、４週間以上である（１）〜（３）のいずれかに記載の育苗方法；
（５）前記根茎の株分けした根茎生重量が１５ｇ以上で、生長点が２つ以上である（１）〜（３）のいずれかに記載の育苗方法；
（６）前記ハウス栽培工程が３０℃以下である（１）〜（３）のいずれかに記載の育苗方法；
（７）前記ハウス栽培が養液土耕栽培を含むことを特徴とする（６）記載の育苗方法；
（８）前記ハウス栽培が養液栽培の固形培地耕栽培を含むことを特徴とする（６）記載の育苗方法；
（９）前記固形培地耕栽培に用いる固形培地がココヤシブロックであることを特徴とする（８）記載の育苗方法；
（１０）大和シャクヤクの根茎を、４℃±２℃で４週間以上処理して休眠打破した後、株分けした根茎生重量が１５ｇ以上および生長点が２以上になるように株分けし、４〜５ヶ月間、１５〜３０℃にてハウス栽培し苗を育成することを特徴とする大和シャクヤクの育苗方法； 
などを提供する。
【発明の効果】
【００１２】
本発明により、休眠期間が長いシャクヤクを早期に休眠打破し、冬季の休眠時期にシャクヤクの苗を育成・熟成することができ、露地栽培より大きく毛根が多い苗を育成することが可能となる。さらに得られた苗を圃場に定植することにより、シャクヤク、特に雄性不稔で種子ができない大和シャクヤクについて、従来法より、効率良く生薬原料である大和芍薬を得ることが出来、シャクヤクの園芸品種の効率のよい苗育成方法が確立し、さらに開花制御も可能であるため、園芸用シャクヤクの苗や鉢植えシャクヤク等を提供することが出来る。また、前記のようなシャクヤク苗供給に加えて、本発明により得られた苗の根を株分けし、次の育苗のための根茎として用いることができる。
【図面の簡単な説明】
【００１３】
【図１】低温処理期間とシャクヤク根茎の萌芽率との関係を示す。
【図２】低温処理し休眠打破した根茎の露地栽培とハウス栽培による生育の差異を示す。
【図３】シャクヤク根の生重量区分における４℃、２０℃および外温栽培３ヶ月後の発根率を示す。
【図４】株分け後、ハウス内（１５〜３０℃、１日１２時間照射）で、養液固形培地耕栽培（ココヤシブロック、ロックウール）ならびに養液土耕栽培（培養土）にて５ヶ月間栽培した際の生育の差異を示す。
【図５】株分け後、ハウス内（１５〜３０℃、１日１２時間照射）で、養液固形培地耕栽培（ココヤシブロック、ロックウール）ならびに養液土耕栽培（培養土）にて１〜２０週間栽培した際の生育の差異（生重量）を示す。
【発明を実施するための形態】
【００１４】
以下において、本発明を詳細に説明する。本明細書におけるシャクヤクは、日本薬局方にて生薬芍薬の基原植物であるシャクヤク（Ｐａｅｏｎｉａ  ｌａｃｔｉｆｌｏｒａ  Ｐａｌｌａｓ）を始め、種々の園芸用品種も含む。また、大和シャクヤクとは、学名がＰａｅｏｎｉａ  ｌａｃｔｉｆｌｏｒａ  Ｐａｌｌａｓ  ｖａｒ．ｔｒｉｃｈｏｃａｒｐａ  Ｂｕｎｇｅであり、花弁が５〜２０個の重弁のもので、雄蕊が狭長な花辧に変化しているため雄蕊が全く無く、即ち葯が形成されない雄性不稔であり、種子ができないという特徴を持っている。
【００１５】
本発明の育苗方法に用いられるシャクヤク根茎は、生薬用シャクヤクの場合、例えば、生薬原料として用いられるシャクヤク根を採取した残りで、通常は廃棄される根茎である。毎年９月頃シャクヤク根が採取され、株分け用の根茎は９月中旬以降に入手可能となる。一方、園芸用シャクヤク根茎も、通常９月中旬から１０月上旬頃株分けされる。
【００１６】
シャクヤク根茎の休眠打破するための低温処理は、２〜６℃で冷蔵することである。通常冷蔵庫および冷蔵室で実施されるが、少なくとも４週間以上、通常４週間から７週間低温処理することが、萌芽率が良く好ましい。
【００１７】
次に根茎の株分けをする。従来の株分けは、生薬用根を採取した残りのシャクヤク根茎を２，３等分に株分けして栽培するが、本発明では、従来よりも３倍以上多い数に分割した根茎を用いることが可能であるが、少なくとも生長点が２つ以上あり、生重量１５ｇ以上である根茎が、萌芽率および発根率が高くなり好ましい。さらに生重量２０ｇ以上がより好ましい。なお、通常は休眠打破、株分けの順でするが、株分け後に休眠打破しても良い。
【００１８】
続いて、休眠打破し、株分けされたシャクヤク根茎は、促成栽培による萌芽形成・成熟工程に移るが、それに適した促成栽培法として、特に限定はされないがハウス栽培が好ましい。ハウス栽培は３０℃以下、好ましくは１０〜３０℃、特に１５〜３０℃の温度条件下で栽培するのが好ましい。また、萌芽形成期のハウス栽培としては、露地栽培以外に、養液土耕栽培および養液栽培が好ましい。養液栽培には、水耕栽培、噴霧栽培、および固形培地耕栽培があるが、特に萌芽形成期は、ハウス栽培開始から１ヶ月以内であるが、養液土耕栽培や養液栽培の固形培地耕栽培が好ましい。
【００１９】
養液土耕栽培とは、灌水同時施肥栽培のことである。培地に土を用いるので、土の緩衝機能が活かされるのが特徴であり、水に肥料を溶かした液肥を用い、これを施用することで、灌水と施肥を同時に行う。塩類集積を抑制し、水と肥料を、効率よく利用することができる。灌水方法は大きく分けて２通りある。地上部から液肥を点滴により滴下する方法と、地中にパイプを埋めてそこから液肥を与える方法であるが、本発明では、滴下する方法が好ましい。
【００２０】
養液栽培には、水耕栽培、噴霧栽培、および固形培地耕栽培等に分類される。水耕栽培には、培養液を栽培別途にためる湛液型水耕栽培、培養液を浅い水深で流すＮＦＴ（Ｎｕｔｒｉｅｎｔ  Ｆｉｌｍ  Ｔｅｃｈｎｉｑｕｅ）があり、噴霧栽培は、根に対しては高圧のスプレーによりミスト状態になった培養液を噴霧する方法であるが、本発明では、固形培地耕栽培が最も好ましい。
【００２１】
固形培地耕栽培に用いられる固形培地としては、例えば、無機系では天然の砂、れき、パミスサンドなど、加工品（高温焼成等）では、ロックウール、バーミキュライト、パーライト、セラミック、籾殻くん炭などが挙げられる。有機系では天然のピートモス、ココヤシブロック、樹皮培地、籾殻、ニータン、ソータンなど、合成品の粒状フェノール樹脂などがある。発根および成熟のために、特に固形培地としては、有機系培地、例えばココヤシブロックが好ましい。
【００２２】
培養栽培や養液土耕栽培に用いられる培養液は、多量要素（ＮＯ３−Ｎ、ＮＨ４−Ｎ、Ｐ、Ｋ、Ｃａ、Ｍｇ）や微量要素（Ｆｅ、Ｍｎ、Ｂ、Ｃｕ、Ｚｎ、Ｍｏ）を植物が吸収されるのに最適な濃度で溶解させた養液であるが、例えば、電気伝導度（ＥＣ）を０．８、１．２、１．６に調整した大塚液肥が用いられる。
【００２３】
ハウス栽培における光調整がおこなわれるが、光調整に用いられる補光処理用光源としては、例えば、蛍光ランプや水銀ランプ、メタルハライドランプ、高圧ナトリウムランプ等がある。特に高効率・高演色性のセラミックメタルハライドランプが好ましく、光照射時間は１０〜１３時間程度である。
【００２４】
以上の休眠打破からハウス栽培（促成栽培）によりシャクヤク根茎から苗を効率よく育成し、圃場に定植するまでのスケジュールとしては、９月頃生薬原料として採取された残りのシャクヤク根茎を、９月〜１０月に約１ヶ月間低温処理し休眠打破後、１０月〜１１月に生重量１５ｇ以上に株分けして、続いて１１月〜１２月から翌年４月頃までハウス栽培を実施する。ハウス栽培は、露地栽培、養液土耕栽培、養液栽培をして、休眠打破した根茎から萌芽形成、発根、成熟させて育苗し、得られた苗を翌年４月〜５月に圃場に定植し栽培する。さらに、得られた苗をそのまま花鑑賞用の鉢植えとして出荷したり、株分けの原料とすることができる。以上の育苗方法および栽培方法を採用することにより、根茎株分けから生薬として採集できる期間は、例えば、従来４〜５年要していたものが２〜３年に短縮される。以上のような育苗方法および栽培方法を採用することにより、従来のシャクヤク栽培より５〜１０倍効率良く生薬としての大和芍薬を収穫することができる。
【００２５】
さらに、園芸品種のシャクヤク根茎を、休眠打破からハウス栽培（促成栽培）することにより、通常の開花時期（５月中旬〜６月上旬）を問わず、即ち、季節を問わず年中開花させることができるなど開花制御することが可能である。
【実施例】
【００２６】
以下に、本発明を実施例に基づいて説明する。本発明は以下の実施例によってなんら限定されるものではなく、本発明の属する技術分野における通常の変更を加えて実施することが出来ることは言うまでもない。
【００２７】
実施例１  （低温処理によるシャクヤク根茎の萌芽率）
シャクヤク根から生薬分を採集した残りの根茎を０〜７週間４℃±２℃で低温処理した後、１８℃で３週間栽培後の萌芽率（＝萌芽数／生長点数）を図１に示した。この結果、休眠打破するための好ましい低温処理期間は、４週間以上であることが判明した。
【００２８】
実施例２  （低温処理苗の露地栽培とハウス栽培による生育の差異）
実施例１に記載のごとく、大和シャクヤク根茎を低温処理し休眠打破後、通常の露地栽培とハウス栽培とに分けて７ヶ月栽培した。その結果、露地栽培の場合、植物体生重量には殆ど変化がなかった。一方、ハウス栽培における植物体生重量は１．５倍であった（図２）。以上のごとく、休眠打破後ハウス栽培する育苗方法は、露地栽培よりはるかに優れていることが判明した。
【００２９】
実施例３  （分割したシャクヤク根の生育の差異）
実施例１に記載のごとく、シャクヤク根茎を１ヶ月間４℃±２℃で処理し休眠打破した後、シャクヤク根を様々な大きさに分割し、２０℃、１６時間明条件下で３ヶ月間栽培を実施し、発根率を比較した。その結果を表１に示す。この結果、細かく根茎を分割すると、萌芽率は良いが、発根率は低下することが判明した。
【００３０】
【表１】
2011142903.tif 000003
【００３１】
実施例４  （シャクヤク根の生重量区分における発根率）
実施例１に記載のごとく、シャクヤク根茎を１ヶ月間４℃±２℃で処理し休眠打破した後、シャクヤク根を、０〜５ｇ未満、５ｇ〜１０ｇ未満、１０ｇ〜１５ｇ未満、１５ｇ〜２０ｇ未満、２０ｇ以上の区分に分割し、それぞれ４℃（冷蔵室）、２０℃（培養室）および外温（露地）で３ヶ月間栽培し、それぞれの発根率を調べた。その結果を図３に示す。この結果、根茎を分割する場合の根茎生重量は、１５ｇ以上でないと発根率が低下することが判明した。さらに１５ｇ以上の根茎には、生長点が少なくとも２個以上含まれていることが判明した。なお、生重量１５ｇ〜２０ｇに株分けすることは、従来法よりも３倍以上に分割することが可能であることが判明した。
【００３２】
実施例５  （促成栽培における比較）
実施例１に記載のごとく、２０ｇ〜３０ｇ未満のシャクヤク根茎を１ヶ月間４℃±２℃で処理し休眠打破した後、養液固形培地耕栽培（ココヤシブロック、ロックウール）ならびに養液土耕栽培（培養土）にてハウス内（１５〜３０℃、１日１２時間照射）で５ヶ月間栽培した（図４）。各栽培によるシャクヤクの生重を測定した結果を図５に示す。この結果、栽培５カ月間でシャクヤクの生重は、ロックウールでは２．３倍、培養土では１．６倍、ココヤシブロックでは３．５倍になることが判明した。さらに、図４で示すごとく、ココヤシブロックを用いる養液固形培地耕栽培の場合、多くの毛細根を有しており、苗として優れていることが判明した。従って、ココヤシブロックを用いた養液固形培地耕栽培がシャクヤクの生育に最も適していることが明らかとなった。
【００３３】
実施例６  （園芸用シャクヤクの開花制御）
休眠打破した２０ｇ〜３０ｇの園芸用和芍薬（品種名：春の粧）の根茎を、１月末からハウス内でココヤシブロックを用いる養液固形培地耕栽培（温度：１５〜３０℃、１日１２時間照射）にて栽培した結果、約２ヶ月で開花した。以上の結果、低温処理により休眠打破した園芸用シャクヤクは、栽培環境を調整することにより開花制御出来ることが判明した。
【産業上の利用可能性】
【００３４】
本発明は、シャクヤクの育苗方法に関するものである。具体的には大和シャクヤク（Ｐａｅｏｎｉａ  ｌａｃｔｉｆｌｏｒａ  Ｐａｌｌａｓ  ｖａｒ．  ｔｒｉｃｈｏｃａｒｐａ  Ｂｕｎｇｅ）の根茎を休眠打破し、次いで根茎を分割し、ハウス栽培で発芽後発根させ、続いて成熟させることを特徴とする大和シャクヤクの効率的な育苗方法に関するものであり、低温処理とハウス栽培を組合わせて、冬季の休眠時期にシャクヤクの苗を早期に育成することが可能となり従来の５〜１０倍の効率で生薬芍薬を収穫することができる。
【図１】
2011142903.tif 000004
【図２】
2011142903.tif 000005
【図３】
2011142903.tif 000006
【図４】
2011142903.tif 000007
【図５】
2011142903.tif 000008